(57)【要約】【課題】完成したジグソーパズルをコンパクトに収納することができ、好きなときに過去の作品を見て楽しむことの可能なジグソーパズルアルバムを提供する。【解決手段】ジグソーパズルアルバム１００は、ジグソーパズル１２０を弾性力で保持した状態で収納する透明樹脂ケース１１０を、１又は２以上綴じて成ることを特徴とする。かかるジグソーパズルアルバム１００によれば、ジグソーパズル１２０を弾性力で保持することによって、密着性を高め、ピースがばらばらにならないように保管できる。このようにして、完成したジグソーパズル１２０を冊子状にコンパクトに収納することができ、広い保管スペースを必要としない。また、好きなときに過去の作品を見て楽しむことができる。さらに、ジグソーパズルを再度ばらして組み立てることも可能である。【選択図】図１
0003193862.tif 000002
【実用新案登録請求の範囲】
【請求項１】
ジグソーパズルを弾性力で保持した状態で収納する収納ケースを、１又は２以上綴じて成ることを特徴とする、ジグソーパズルアルバム。
【請求項２】
前記収納ケースには、さらに、前記ジグソーパズルの厚みを調整するためのスペーサーが収納されることを特徴とする、請求項１に記載のジグソーパズルアルバム。
【請求項３】
前記収納ケースは、側面が略Ｕの字形状の樹脂素材から成り、
前記略Ｕの字形状は、
収納物を挿入する収納口の内寸が、収納物の厚みの合計以下であり、
前記収納口から奥に向かって内寸が大きくなり、
最奥部で、前記収納物の厚みの合計以上であることを特徴とする、請求項１又は２に記載のジグソーパズルアルバム。
【考案の詳細な説明】
【技術分野】
【０００１】
本考案は、完成したジグソーパズルを収納するためのジグソーパズルアルバムに関する。
【背景技術】
【０００２】
ジグソーパズルは、１枚の絵を、いくつかのピースと呼ばれる小片に分け、ばらばらにしたものを再び組み立てるというタイプのパズルである。従来、完成したジグソーパズルを保管する方法として、（１）フレームに入れて飾る方法、（２）平らに重ねて保管する方法、（３）再度ばらして保管する方法の３つの方法があった。
【先行技術文献】
【非特許文献】
【０００３】
【非特許文献１】インターネット＜ＵＲＬ：http://ja.wikipedia.org/wiki/%E3%82%B8%E3%82%B0%E3%82%BD%E3%83%BC%E3%83%91%E3%82%BA%E3%83%AB＞
【考案の概要】
【考案が解決しようとする課題】
【０００４】
しかしながら、（１）フレームに入れて飾る方法では、台紙にジグソーパズルを接着した後フレームに飾るため、再度、ばらして組み立てることができなかった。また、ジグソーパズルが増えるにつれて、ある程度広い保管スペースが必要になる。また、（２）平らに重ねて保管する方法では、台紙貼りすると、ばらすことができず再度組み立てることはできない。一方、台紙貼りしないと、ばらけやすくフレームに入れて飾ることが困難である。また、（３）再度ばらして保管する方法では、飾ることができず、完成したジグソーパズルを鑑賞することができなかった。
【０００５】
このように、いずれの方法でも、ジグソーパズルを保管する上でなんらかの問題があった。すなわち、完成したジグソーパズルを鑑賞することができるようにすると、再度、ばらして組み立てることができなかったり、ある程度広い保管スペースが必要になったりしていた。一方、再度ばらして組み立てられるように保管すると、完成したジグソーパズルを鑑賞することができなかった。
【０００６】
そこで本考案は、このような問題に鑑みてなされたもので、その目的とするところは、完成したジグソーパズルをコンパクトに収納することができ、好きなときに過去の作品を見て楽しむことの可能な、新規かつ改良されたジグソーパズルアルバムを提供することにある。
【課題を解決するための手段】
【０００７】
上記課題を解決するために、本考案によれば、ジグソーパズルを弾性力で保持した状態で収納する収納ケースを、１又は２以上綴じて成ることを特徴とする、ジグソーパズルアルバムが提供される。かかるジグソーパズルアルバムによれば、ジグソーパズルを弾性力で保持することによって、密着性を高め、ピースがばらばらにならないように保管できる。このようにして、完成したジグソーパズルを冊子状にコンパクトに収納することができ、広い保管スペースを必要としない。また、好きなときに過去の作品を見て楽しむことができる。さらに、ジグソーパズルを再度ばらして組み立てることも可能である。
【０００８】
本考案のジグソーパズルアルバムはさまざまな応用が可能である。例えば、前記収納ケースには、さらに、前記ジグソーパズルの厚みを調整するためのスペーサーが収納されるようにしてもよい。ジグソーパズルの厚みの調整を簡単に行うことができる。ジグソーパズルの密着性を高めることで、ジグソーパズルがばらけることを一層防止できる。
【０００９】
また、ジグソーパズルを弾性力で保持するための構成としてはさまざまなものが考えられるが、例えば、前記収納ケースは、側面が略Ｕの字形状の樹脂素材から成り、前記略Ｕの字形状は、収納物を挿入する収納口の内寸が、収納物の厚みの合計以下であり、前記収納口から奥に向かって内寸が大きくなり、最奥部で、前記収納物の厚みの合計以上である構成とすることができる。樹脂素材の復元力を利用することによって、複雑な構成とすることなく、ジグソーパズルを弾性力で保持することができる。
【考案の効果】
【００１０】
本考案によれば、完成したジグソーパズルを収納することができ、好きなときに過去の作品を見て楽しむことが可能である。なお、本考案のその他の効果や応用例については、さらに後述する。
【図面の簡単な説明】
【００１１】
【図１】ジグソーパズルアルバムの全体構成の概略図である。
【図２】透明樹脂ケースを示す図である。
【図３】ジグソーパズルと台紙を示す図である。
【図４】ジグソーパズルと台紙を透明樹脂ケースに収納する状態を示す図である。
【図５】スペーサーを示す図である。
【図６】図４の状態からさらにスペーサーを収納する状態を示す図である。
【図７】図６においてスペーサーを収納した後の側面図である。
【図８】透明ポケットを示す図である。
【図９】図８の透明ポケットを複数収納したアルバムを示す図である。
【図１０】アルバムの透明ポケットに、透明樹脂ケースを収納する状態を示す図である。
【考案を実施するための形態】
【００１２】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１３】
まず、一般的なジグソーパズルについて説明する。ジグソーパズルには、スタンダードサイズ・ミニサイズ・マイクロサイズの３種類がある。サイズが小さいものは厚みも薄くなるが、同じサイズのピースであれば、厚みに大きな差はない。また、ジグソーパズルには、主に子供向けに、ピースを置く台紙（台座）付きのものと、一般向けに、ピースを置く台紙が付いていないものがある。本実施形態では、ピースを置く台紙がないジグソーパズルを例に挙げて説明する。
【００１４】
図１は、本実施形態に係るジグソーパズルアルバム１００の全体構成の概略図である。
本実施形態のジグソーパズルアルバム１００は、ジグソーパズル１２０を弾性力で保持した状態で収納する透明樹脂ケース（本考案の収納ケースの一例）１１０を、１又は２以上綴じて成ることを特徴とする。より詳細には、図１に示したように、ジグソーパズル１２０、台紙１３０及びスペーサー１４０を、透明ポケット１５０に入れて、１又は２以上をアルバム１６０に綴じて成ることを特徴とする。以下、順に説明する。
【００１５】
図２は、透明樹脂ケース１１０を示す図である。透明樹脂ケース１１０は、図２に示したように、側面がＵの字形状の樹脂素材からなる。透明樹脂ケース１１０の縦横のサイズは、上述したスタンダードサイズ・ミニサイズ・マイクロサイズに応じてさまざまなサイズのものとすることができるが、本実施形態では一例として、スタンダードサイズとする。スタンダードサイズであれば、大は小を兼ねて、ミニサイズやマイクロサイズのジグソーパズルも収納することができる。
【００１６】
透明樹脂ケース１１０の側面をＵの字形状にするには、例えば、１枚の樹脂板を、熱処理して、２つ折りするように曲げることができる。なお、透明樹脂ケース１１０の側面が「Ｕの字形状」とは、厳密にアルファベットの「Ｕ」の形状でなく、略Ｕの字形状であってもよい。例えば、透明樹脂ケース１１０の収納口の部分の内寸（内幅）が、収納物の厚みの合計以下であり、奥に行くにつれて、内寸が広がるような形状であってもよい。透明樹脂ケース１１０の内寸の少なくとも一部が、収納物の厚みの合計よりも小さいことによって、収納物が収納された状態で透明樹脂ケース１１０は変形するが、その反作用によって、収納物を弾性力で保持した状態で収納することができる。すなわち、透明樹脂ケース１１０が板バネのように収納物を挟み込むことができる。
【００１７】
なお、透明樹脂ケース１１０の最奥部の内寸は、収納物の厚みの合計と同等かやや大きくしてもよい。透明樹脂ケース１１０の内寸が収納物の厚みの合計よりも大きくても、その隙間がジグソーパズル１２０の厚みの半分以下程度であれば、ジグソーパズル１２０がばらけて落ちることはない。透明樹脂ケース１１０の内寸は以上のとおりであり、具体的な寸法としては、例えば、透明樹脂ケース１１０の収納口の部分の内寸は実質的に０ｍｍであってもよく、また、最奥部の内寸は４ｍｍ程度で、外寸は６ｍｍ程度とすることができる。
【００１８】
以下に、上記透明樹脂ケース１１０への収納物について、図３〜図６を参照しながら説明する。
【００１９】
図３は、透明樹脂ケース１１０への収納物であるジグソーパズル１２０と台紙１３０を示す図である。ジグソーパズル１２０は、スタンダードサイズのものであり、厚みは１．３ｍｍ程度である。ジグソーパズル１２０は、完成している状態のものを収納する。台紙１３０は、ジグソーパズル１２０と同程度の大きさであり、厚みは０．８ｍｍ程度である。なお、ジグソーパズルには、初めから台紙が付いているものと、台紙が付いていないものがあるが、ジグソーパズルに初めから台紙が付いている場合には、台紙１３０は必ずしも必要ない。
【００２０】
図４は、図３に示したジグソーパズル１２０と台紙１３０を、透明樹脂ケース１１０に収納する状態を示す図である。図４に示した例では、ジグソーパズル１２０と台紙１３０の厚みの合計が、透明樹脂ケース１１０の厚みより小さい状態を示している。この状態では、ジグソーパズル１２０のピースが分離しない状態で保持することはできない。そこで、厚みを調整するための部材を準備する。
【００２１】
図５は、透明樹脂ケース１１０への収納物であるスペーサー１４０を示す図である。スペーサー１４０は、ジグソーパズル１２０の厚みを調整するためのものである。スペーサー１４０の大きさはジグソーパズル１２０と同程度であり、厚みは１．４ｍｍ程度である。
【００２２】
図６は、図３に示したジグソーパズル１２０及び台紙１３０と、図５に示したスペーサー１４０とを、透明樹脂ケース１１０に収納する状態を示す図である。図７は、透明樹脂ケース１１０への収納物がすべて収納された状態での側面図である。なお、図７では、便宜上、透明樹脂ケース１１０と収納物との間にすき間があるように示しているが、実際は、上述したように、収納物は、透明樹脂ケース１１０によって弾性力で保持した状態で収納されている。すなわち、この図７の状態では、透明樹脂ケース１１０のＵの字の幅が、透明樹脂ケース１１０への収納物の厚みの合計と同等かやや大きいが、収納口に向けて狭くなっているため、透明樹脂ケース１１０の弾性力によって、収納物は密着して保持される。
【００２３】
次に、収納物がすべて収納された透明樹脂ケース１１０を、綴じてアルバム状にすることについて、図８〜図１０を参照しながら説明する。
【００２４】
図８は、透明樹脂ケース１１０を入れるための透明ポケット１５０を示す図である。透明ポケット１５０の大きさは、収納物がすべて収納された透明樹脂ケース１１０を入れることができるように、透明樹脂ケース１１０よりも一回り大きく構成される。そして、透明ポケット１５０には、図８に示したように、側部に複数の穴が開けられている。これは、後述するアルバム１６０（図９）のバインダ金具に対応するものであり、例えば、２穴、６穴、多穴など、任意の数、任意の間隔の穴とすることができる。
【００２５】
図９は、図８に示した透明ポケット１５０を綴じるアルバム１６０を示す図である。アルバム１６０は、本実施形態で説明した透明ポケット１５０を綴じることができる大きさである。例えば、アルバムとして本棚に入るサイズとして、Ｂ４サイズ程度とすることができる。アルバム１６０の内側には、バインダ金具（図１０参照）が取り付けられており、透明ポケット１５０を１又は２以上綴じることができる。
【００２６】
図１０は、図７に示した収納物（ジグソーパズル１２０、台紙１３０及びスペーサー１４０）が収納された透明樹脂ケース１１０を、アルバム１６０に綴じられた透明ポケット１５０に入れる状態を示す図である。以上のようにして、本実施形態の冒頭で説明したジグソーパズルアルバム１００（図１）となる。
【００２７】
以上説明したように、本実施形態にかかるジグソーパズルアルバム１００によれば、完成したジグソーパズルを冊子状にコンパクトに収納することができ、広い保管スペースを必要としない。また、好きなときに過去の作品を見て楽しむことができる。さらに、ジグソーパズル１２０を再度ばらして組み立てることも可能である。
【００２８】
また、透明樹脂ケース１１０に、ジグソーパズル１２０の厚みを調整するためのスペーサー１４０が収納されることで、ジグソーパズル１２０の厚みの調整を簡単に行うことができる。ジグソーパズル１２０の密着性を高めることで、ジグソーパズル１２０がばらけることを一層防止できる。
【００２９】
また、透明樹脂ケース１１０の復元力を利用することによって、複雑な構成とすることなく、ジグソーパズル１２０を弾性力で保持することができる。
【００３０】
さらにまた、ジグソーパズル１２０を収納した透明樹脂ケース１１０は、そのまま市販されているフレームなどに入れて飾ることもできる。
【００３１】
以上、添付図面を参照しながら本考案の好適な実施形態について説明したが、本考案はかかる例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【００３２】
例えば、上記実施形態では、ジグソーパズルを弾性力で保持した状態で収納する収納ケースの一例として、透明樹脂ケース１１０を説明したが、本考案はこれに限定されない。ジグソーパズルを弾性力で保持した状態で収納できるものであれば、例えば、ゴム素材やバネ素材など任意の素材を採用することができる。
【００３３】
また、上記実施形態では、ジグソーパズル１２０の厚みを調整するためのスペーサー１４０を含む構成について説明したが、必ずしもスペーサー１４０は必須ではない。例えば、透明樹脂ケース１１０の内径を小さくしてもよい。また、台紙１３０にクッション性を持たせるなどして、台紙１３０によって透明樹脂ケース１１０への収納物の厚みを調整するようにしてもよい。また、クッション性を持たせた台紙１３０と、スペーサー１４０とを併用することにより、より調整範囲を広げることも可能である。
【００３４】
また、複数の透明樹脂ケース１１０を備えるに当たり、各透明樹脂ケース１１０のサイズや厚みはすべて同じにする必要はない。
【産業上の利用可能性】
【００３５】
本考案は、完成したジグソーパズルを収納するためのジグソーパズルアルバムに利用可能である。
【符号の説明】
【００３６】
１００  ジグソーパズルアルバム
１１０  透明樹脂ケース
１２０  ジグソーパズル
１３０  台紙
１４０  スペーサー
１５０  透明ポケット
１６０  アルバム
【図１】
0003193862.tif 000003
【図２】
0003193862.tif 000004
【図３】
0003193862.tif 000005
【図４】
0003193862.tif 000006
【図５】
0003193862.tif 000007
【図６】
0003193862.tif 000008
【図７】
0003193862.tif 000009
【図８】
0003193862.tif 000010
【図９】
0003193862.tif 000011
【図１０】
0003193862.tif 000012